(57)【要約】【課題】電気メータ１００が電力検針データだけでなく、ガス検針データや水道検針データを伝送する。【解決手段】計量部１１０と通信部１３０とを有する電気メータ１００を複数備える検針システム１であって、通信部１３０は、ガスメータ１０と水道メータ２０のうち少なくとも一方と通信可能に構成され、ガスメータ１０から送信されるガスの使用量に関するガス検針データと水道メータ２０から送信される水道の使用量に関する水道検針データのうち少なくとも一方を受信し、計量部１１０で計量された電力の使用量に関する電力検針データと、ガス検針データと水道検針データのうち少なくとも一方の検針データとを上位装置（通信親機２００又はデータ集約装置３００又はセンタ装置４００）に送信する。【選択図】図１
2017091404.tif 000002
【特許請求の範囲】
【請求項１】
ユーザが使用した電力の使用量を計量する計量部と、上位装置と通信する通信部と、を有する電気メータ端末を複数備える検針システムであって、
前記通信部は、
ガスメータ端末と水道メータ端末のうち少なくとも一方と通信可能に構成され、
前記ガスメータ端末から送信されるガスの使用量に関するガス検針データと前記水道メータ端末から送信される水道の使用量に関する水道検針データのうち少なくとも一方を受信し、
前記計量部で計量された電力の使用量に関する電力検針データと、前記ガス検針データと前記水道検針データのうち少なくとも一方の検針データとを前記上位装置に送信することを特徴とする検針システム。
【請求項２】
前記電気メータ端末は、前記電力検針データ、前記ガス検針データ及び前記水道検針データを共通のデータ形式にそれぞれ変換する制御部を有し、
前記通信部は、前記制御部で変換された検針データを前記上位装置に送信する請求項１に記載の検針システム。
【請求項３】
前記制御部は、前記電力検針データと、前記ガス検針データと前記水道検針データのうち少なくとも一方の検針データとを一つのデータにまとめ、
前記通信部は、前記制御部でまとめられたデータを前記上位装置に送信する請求項２に記載の検針システム。
【請求項４】
前記ガスメータ端末と前記水道メータ端末の少なくとも一方に電力を供給する電源部を備える請求項１から請求項３のいずれか１項に記載の検針システム。
【請求項５】
複数の前記電気メータ端末からの前記検針データを受信し、受信した複数の検針データを集約して上位のセンタ装置に送信するデータ集約装置を備える請求項１から請求項４のいずれか１項に記載の検針システム。
【発明の詳細な説明】
【技術分野】
【０００１】
本発明は、電気、ガス、水道の検針データを収集して伝送する検針システムに関する。
【背景技術】
【０００２】
電気、ガス、水道の検針データは、各メータ端末により得られるが、各メータ端末からバラバラに検針データを得たのでは非効率であることから、近年、これらの検針データを収集して検針データセンタに伝送することが提案されている。例えば特許文献１には、電気、ガス、水道の検針データを各メータ端末から収集して、これらを検針データセンタに伝送するシステムが記載されている。
【先行技術文献】
【特許文献】
【０００３】
【特許文献１】特許第３８６２６３８号公報
【発明の概要】
【発明が解決しようとする課題】
【０００４】
特許文献１の検針システムは、メータ端末から収集された電気、ガス、水道の検針データを、中継器を用いて検針データセンタに伝送するため、中継器の設置が必要となり、設備コストの増加を招くことになる。また、中継器に対して電源の供給又は内部電池の交換が必要となるので、電源の供給経路の形成又は電池交換といった面倒な作業を要するだけでなく、設備コストの増加を招くことになる。また、現在知られている電子式水道メータ端末は、通常の積算データ以外の情報を検知する機能があるが十分に活用されてなく、伝送する情報量を増やすと内部電池の交換寿命が短くなるといった課題を有している。
【０００５】
本発明は、前述した事情に鑑みてなされたものであり、水道、ガスの検針データを電気メータ端末の情報伝達システムを利用して伝送することで設備の構築やメンテナンスを簡素化することが可能な検針システムを提供することを目的とする。
【課題を解決するための手段】
【０００６】
上記目的を達成するために、本発明に係る検針システムは、ユーザが使用した電力の使用量を計量する計量部と、上位装置と通信する通信部と、を有する電気メータ端末を複数備える検針システムであって、通信部は、ガスメータ端末と水道メータ端末のうち少なくとも一方と通信可能に構成され、ガスメータ端末から送信されるガスの使用量に関するガス検針データと水道メータ端末から送信される水道の使用量に関する水道検針データのうち少なくとも一方を受信し、計量部で計量された電力の使用量に関する電力検針データと、ガス検針データと水道検針データのうち少なくとも一方の検針データとを上位装置に送信することを特徴とする。
【０００７】
電気メータ端末は、電力検針データ、ガス検針データ及び水道検針データを共通のデータ形式にそれぞれ変換する制御部を有し、通信部は、制御部で変換された検針データを上位装置に送信する構成でもよい。
【０００８】
制御部は、電力検針データと、ガス検針データと水道検針データのうち少なくとも一方の検針データとを一つのデータにまとめ、通信部は、制御部でまとめられたデータを上位装置に送信する構成でもよい。
【０００９】
ガスメータ端末と水道メータ端末の少なくとも一方に電力を供給する電源部を備える構成でもよい。
【００１０】
複数の電気メータ端末からの検針データを受信し、受信した複数の検針データを集約して上位のセンタ装置に送信するデータ集約装置を備える構成でもよい。
【発明の効果】
【００１１】
本発明によれば、水道、ガスの検針データを電気メータの情報伝達システムを利用して伝送することで設備の構築やメンテナンスを簡素化することができる。
【図面の簡単な説明】
【００１２】
【図１】第１実施形態に係る検針システムの構成を示すブロック図である。
【図２】検針データのデータ形式（データフォーマット）を示す図である。
【図３】センタ装置、データ集約装置及び電気メータ端末間におけるデータの送受信の手順を示すシーケンス図である。
【図４】第２実施形態に係る検針システムの構成を示すブロック図である。
【発明を実施するための形態】
【００１３】
以下、本発明の実施形態について図面を参照して説明する。ただし、本発明はこれに限定されるものではない。また、図面においては実施形態を説明するため、一部分を大きく又は強調して記載するなど適宜縮尺を変更して表現する場合がある。
【００１４】
以下、本発明の実施形態について図面を参照して説明する。ただし、本発明はこれに限定されるものではない。また、図面においては実施形態を説明するため、一部分を大きく又は強調して記載するなど適宜縮尺を変更して表現する場合がある。
【００１５】
＜第１実施形態＞
図１は、第１実施形態に係る検針システム１の構成を示すブロック図である。第１実施形態に係る検針システム１は、電気、ガス、水道の検針データを収集して伝送するシステムである。この検針システム１は、少なくとも、図１に示す複数の電気メータ（電気メータ端末）１００、複数の通信親機２００、及びデータ集約装置３００を備えている。なお、検針システム１は、複数のガスメータ（ガスメータ端末）１０や複数の水道メータ（水道メータ端末）２０を含んでもよい。また、検針システム１は、センタ装置４００を含んでもよい。また、検針システム１（複数の電気メータ１００、複数の通信親機２００、データ集約装置３００）と、複数のガスメータ１０と、複数の水道メータ２０と、センタ装置４００とを備えたシステムを、電気、水道、ガスの検針データを管理する管理システムと呼んでもよい。なお、図１に示す検針システム１は、マンションなどの集合住宅に設置されるシステムを想定している。
【００１６】
電気メータ１００は、家庭や会社などにおいてユーザ（電気、ガス、水道の使用者）が使用した電力使用量（電気量、電力消費量ともいう。）を計量（計測、測定）するメータ端末である。このような電力使用量を計量するメータ端末を電力量計ともいう。この電気メータ１００は、双方向通信機能を備え、アナログのメータ端末と異なり、計量した電力消費量に関する検針データ（以下、電気検針データという。）をリアルタイムに伝送すること、また電力会社などのサーバからの制御要求に応じて電力供給の接続・切断や電力供給量の制御などを行うことができる。電気メータ１００は、例えばマンションのパイプシャフト（上下水道間やガス管などの配管スペースであり、パイプスペースともいう。）に設置される。
【００１７】
図１に示すように、電気メータ１００は、計量部１１０、メモリ１２０、通信部１３０、及び制御部１４０を有している。電気メータ１００以外の他の複数の電気メータも図１に示す電気メータ１００と同一の構成を備えている。なお、図１に示す構成では、通信部１３０とは別にメモリ１２０及び制御部１４０を設けているが、メモリ１２０及び制御部１４０を通信部１３０内の構成として設けてもよい。この場合、通信部１３０は、メモリ、制御部及び信号Ｉ／Ｆ１３１を有する構成となる。計量部１１０は、ユーザが使用した電力使用量を計量する処理部である。メモリ１２０は、計量部１１０で計量された電力使用量に関する電力検針データを記憶する。また、メモリ１２０は、後述するガスメータ１０の計量部１１で計量されたガス使用量に関するガス検針データや、水道メータ２０の計量部２１で計量された水道使用量に関する水道検針データを記憶する。また、各種設定情報や制御プログラムなども記憶する。なお、通信部１３０内にメモリ及び制御部を設ける構成であれば、通信部１３０内のメモリにガス検針データ及び水道検針データが記憶される。
【００１８】
通信部１３０は、既設の電力線を通信回線として通信親機２００とデータ通信を行う処理部である。電力線を通信回線として利用する技術をＰＬＣ（Power Line Communication；電力線搬送通信）という。通信部１３０は、ガスメータ１０及び水道メータ２０から送られる信号（ガス検針データ、水道検針データ）を受信するためのインタフェースである信号Ｉ／Ｆ１３１が設けられている。電気メータ１００とガスメータ１０及び水道メータ２０との間の通信は、有線通信であっても無線通信であってもよい。本実施形態では、信号Ｉ／Ｆ１３１は、ガスメータ１０及び水道メータ２０と有線の通信線（パルス信号を伝送するための信号線を含む。）を接続するための端子を備え、通信線を通じて有線通信を行うものとする。
【００１９】
通信部１３０は、ガスメータ１０から送信されるガスの使用量に関するガス検針データと水道メータ２０から送信される水道の使用量に関する水道検針データを受信する。また、通信部１３０は、計量部１１０で計量された電力の使用量に関する電力検針データと、ガスメータ１０から送信されたガス検針データと、水道メータ２０から送信された水道検針データとを電力線を通じて通信親機２００に送信（伝送）する。
【００２０】
制御部１４０は、電気メータ１００全体の制御を司る処理部である。本実施形態では、制御部１４０は、電力検針データ、ガス検針データ及び水道検針データを共通のデータ形式にそれぞれ変換する処理を行う。また、制御部１４０は、計量部１１０が計量した電力検針データや、ガスメータ１０及び水道メータ２０から送信されたガス検針データ及び水道検針データをメモリ１２０に記憶する処理などを行う。なお、通信部１３０内にメモリ及び制御部を設ける構成であれば、通信部１３０内の制御部が上記の処理を行う。
【００２１】
ガスメータ１０は、ガス会社などによって設置される、ガス使用量を計量（計測、測定）するメータ端末である。このガスメータ１０は、ユーザが使用したガス使用量を計量する計量部１１を有している。なお、ガスメータ１０は、計量部１１で計量されたガス検針データを例えば８ビットのパルスの信号として電気メータ１００に送信する。水道メータ２０は、水道会社などによって設置される、水道使用量を計量（計測、測定）するメータ端末である。この水道メータ２０は、ユーザが使用した水道使用量を計量する計量部２１を有している。なお、水道メータ２０も、計量部２１で計量された水道検針データを例えば８ビットのパルスの信号として電気メータ１００に送信する。ガスメータ１０及び水道メータ２０は、例えばマンションのパイプシャフトに設置される。
【００２２】
通信親機２００は、複数の電気メータと電力線で接続され、電力線を通じてデータ通信を行う。また、通信親機２００は、所定の通信方式の通信線でデータ集約装置３００と接続され、その通信線を通じてデータ通信を行う。通信親機２００以外の他の複数の通信親機も図１に示す通信親機２００と同一の構成を備えている。
【００２３】
図１に示すように、通信親機２００は、通信部２１０及びＰＬＣ制御部２２０を有している。通信部２１０は、複数の電気メータから電力線を通じて送信される電力、ガス及び水道の検針データを受信し、受信した検針データを通信線を通じてデータ集約装置３００に送信する。また、通信部２１０は、データ集約装置３００から送信されるデータを受信し、受信したデータを電気メータ（すべての電気メータ又は所定の電気メータ）に送信する。ＰＬＣ制御部２２０は、複数の電気メータとの間の通信（ＰＬＣ方式の通信）におけるデータ形式とデータ集約装置３００との間の通信におけるデータ形式を変換する処理を行う。
【００２４】
データ集約装置３００は、複数の通信親機と通信線で接続されるとともに、ルータなどを介してインターネットなどの通信網（図示せず）と接続されている。そして、データ集約装置３００は、複数の通信親機から送信されるデータを集約してセンタ装置４００に送信する処理を行う。また、データ集約装置３００は、センタ装置４００から送信されるデータを所定の電気メータ（つまり所定の電気メータと接続している通信親機）に送信する処理を行う。また、データ集約装置３００は、複数の電気メータ（つまり複数の電気メータと接続している通信親機）から送信される検針データを取得し、取得した検針データを管理する処理も行う。
【００２５】
図１に示すように、データ集約装置３００は、通信部３１０、データ管理部３２０、及びメモリ３３０を有している。通信部３１０は、インターネットなどの通信網を通じてセンタ装置４００とデータ通信を行う。また、通信部３１０は、通信線を通じて複数の通信親機とデータ通信を行う。また、データ管理部３２０は、複数の電気メータから送信された検針データをメモリ３３０に記憶する。また、データ管理部３２０は、センタ装置４００からの要求に応じて所望の検針データをメモリ３３０から読み出して、読み出した検針データを（通信部３１０を介して）送信する。メモリ３３０は、複数の電気メータから送信された検針データを記憶する。
【００２６】
センタ装置４００は、検針データの収集・管理や電気メータの接続・遮断などの制御を行う装置である。このセンタ装置４００は、サーバで構築されている。
【００２７】
次に、検針データのデータ形式について説明する。図２は、検針データのデータ形式（データフォーマット、データ構造）を示す図である。図２（ａ）に示すデータ形式では、検針データは電気（電力）、ガス及び水道ごとに別々のデータ（電力検針データ、ガス検針データ、水道検針データ）として構成されている。各検針データの先頭には各ユーザを識別するための「ＩＤ情報」が付加されている。従って、同じユーザの電力検針データ、ガス検針データ及び水道検針データには同じＩＤ情報が付加される。電力検針データにおける「電気」の部分には計量部１１０で計測された電力の計量値（検針値）のデータが格納され、ガス検針データにおける「ガス」の部分には計量部１１で計測されたガスの計量値（検針値）のデータが格納され、水道検針データにおける「水道」の部分には計量部２１で計測された水道の計量値（検針値）のデータが格納される。図２（ａ）に示すデータ形式の場合、要求に応じた必要な種類（電力、ガス、水道）の検針値だけを送信することが可能であるため（例えば電気メータの検針データだけを必要な場合にその検針データだけ送信することが可能であるため）、検針データの送信を効率よく行うことが可能となる。
【００２８】
図２（ｂ）に示すデータ形式では、図２（ａ）に示す各検針データ（電力検針データ、ガス検針データ、水道検針データ）における計量値のデータの格納部の後ろに「追加情報」を格納する格納部が設けられている。追加情報としては、例えば、検針データの種類を識別するための情報（つまり電力検針データ、ガス検針データ及び水道検針データの種類を示す情報）、同じユーザの電力検針データ、ガス検針データ及び水道検針データに異なるＩＤ情報が付加される場合、各検針データを紐つけするための情報、計量時間（例えば３０分、１時間、４時間・・・）の異なる計量値の検針データを設ける場合における計量時間ごとの検針データの種別を示す情報などが考えられる。図２（ｂ）に示すデータ形式の場合、検針データのユーザ、種類、種別を特定することができる。
【００２９】
図２（ｃ）に示すデータ形式では、１つの検針データにおいて、計量部１１０で計測された電力の計量値のデータ、計量部１１で計測されたガスの計量値のデータ、計量部２１で計測された水道の計量値のデータが格納されている。すなわち、検針データの先頭に「ＩＤ情報」の格納部が設けられ、「ＩＤ情報」の格納部の後ろに電力の計量値のデータの格納部が設けられ、電力の計量値のデータの格納部の後ろにガスの計量値のデータの格納部が設けられ、ガスの計量値のデータの格納部の後ろに水道の計量値のデータの格納部が設けられている。図２（ｃ）に示すデータ形式の場合、１つの検針データに電力、ガス及び水道の計量値のデータが格納されるので、１つのデータで３種類の計量値（検針値）のデータを一括して送ることができ、データ集約装置３００やセンタ装置４００においてデータの取得が容易となる。また、データ集約装置３００やセンタ装置４００において１つのＩＤ情報だけで３種類の検針データを管理することもできる。
【００３０】
次に、検針システム１におけるデータの送受信の手順について説明する。図３は、センタ装置４００、データ集約装置３００及び電気メータ１００間におけるデータの送受信の手順を示すシーケンス図である。図３に示すように、データ集約装置３００が所定の電気メータ１００（全部又は一部の電気メータ）に対して検針データ（電力検針データ、ガス検針データ、水道検針データの少なくとも１つ）の取得を要求する検針要求を送信する。その検針要求は、通信親機２００を介して所定の電気メータに送信される。なお、データ集約装置３００は定期的に検針データを取得するために、定期的に検針要求を送信する。
【００３１】
所定の電気メータ１００において、通信部１３０が検針要求を受信すると、受信した検針要求を制御部１４０に渡す。制御部１４０は、検針要求で要求された検針データをメモリ１２０から読み出し、読み出した検針データを通信部１３０に渡す。通信部１３０は、検針要求で要求された検針データを通信親機２００を介してデータ集約装置３００に送信する。なお、制御部１４０は、定期的に、計量部１１０で計量された検針データを予め決められたデータ形式（図２参照）に変換してメモリ１２０に記憶する。また、制御部１４０は、ガスメータ１０及び水道メータ２０から定期的に送信される検針データ（例えば８ビットのパルス信号のデータ）を予め決められたデータ形式（図２参照）に変換してメモリ１２０に記憶する。なお、制御部１４０は、検針要求を受け取ったときに、計量部１１０に計量させて電力検針データを取得し、またガスメータ１０及び水道メータ２０に検針データを要求してガス検針データ及び水道検針データを取得してもよい。
【００３２】
データ集約装置３００において、データ管理部３２０は、所定の電気メータ１００から送信される検針データを取得し、取得した検針データをメモリ３３０に記憶する。このとき、データ管理部３２０は、ＩＤ情報などに基づいて各種の検針データをユーザごとに記憶する。
【００３３】
センタ装置４００は、所定のタイミングで（例えば定期的に）検針データを要求するデータ要求をデータ集約装置３００に送信する。データ集約装置３００において、データ管理部３２０は、センタ装置４００からのデータ要求を受けると、データ要求で要求された検針データをメモリ３３０から読み出し、読み出した検針データをセンタ装置４００に送信する。なお、データ管理部３２０は、センタ装置４００からのデータ要求を受けると、そのデータ要求で要求された検針データを電気メータに要求して所望の検針データを取得してもよい。
【００３４】
センタ装置４００は、電気メータ１００の制御が必要となった場合に、電気メータ１００の制御を要求する制御要求をデータ集約装置３００に送信する。データ集約装置３００において、データ管理部３２０は、センタ装置４００からの制御要求を受けると、制御要求を通信親機２００を介して制御対象の電気メータに送信する。電気メータにおいて、制御部１４０は、制御要求を受けると、制御要求で要求された制御（例えば電力供給の接続又は遮断）を実行する。なお、ガスメータ１０や水道メータ２０の制御を制御要求で要求するように構成してもよい。この場合、制御部１４０は、制御要求がガスメータ１０や水道メータ２０の制御であれば、ガスメータ１０や水道メータ２０に制御要求を送信する。そして、ガスメータ１０や水道メータ２０は、制御要求に応じた制御を実行する。
【００３５】
以上に説明したように、第１実施形態では、計量部１１０と通信部１３０とを有する電気メータ１００を複数備える検針システム１であって、通信部１３０は、ガスメータ１０と水道メータ２０のうち少なくとも一方と通信可能に構成され、ガスメータ１０から送信されるガスの使用量に関するガス検針データと水道メータ２０から送信される水道の使用量に関する水道検針データのうち少なくとも一方を受信し、計量部１１０で計量された電力の使用量に関する電力検針データと、ガス検針データと水道検針データのうち少なくとも一方の検針データとを上位装置（通信親機２００又はデータ集約装置３００又はセンタ装置４００）に送信する。このような構成によれば、電気メータ１００が電力検針データだけでなく、ガス検針データや水道検針データを伝送することができる。従って、中継器を設けることなく、複数種類の検針データを伝送することができ、設備コストを抑制することができる。その結果、設備の構築やメンテナンスなども簡素化することができる。
【００３６】
また、第１実施形態では、電気メータ１００は、電力検針データ、ガス検針データ及び水道検針データを共通のデータ形式にそれぞれ変換する制御部１４０を有し、通信部１３０は、制御部１４０で変換された検針データを上位装置に送信する。このような構成によれば、共通のデータ形式でデータの送受信及び管理を行うことができ、上位装置における処理負担が軽減される。
【００３７】
また、第１実施形態では、制御部１４０は、電力検針データと、ガス検針データと水道検針データのうち少なくとも一方の検針データとを一つのデータにまとめ（図２（ｃ）参照）、通信部１３０は、制御部１４０でまとめられたデータを上位装置に送信する。このような構成によれば、上位装置は１回の要求で複数種類の検針データを取得することができる。
【００３８】
また、第１実施形態では、複数の電気メータ１００からの検針データを受信し、受信した複数の検針データを集約して上位のセンタ装置４００に送信するデータ集約装置３００を備える。このような構成によれば、センタ装置４００は、効率よく検針データを取得することができる。
【００３９】
＜第２実施形態＞
図４は、第２実施形態に係る検針システム１Ａの構成を示すブロック図である。なお、図４に示す構成において、図１に示す構成と同一構成については同一符号を付すことで重複する説明を省略する。
【００４０】
図４に示す構成において、電気メータ１００Ａは、計量部１１０、メモリ１２０、通信部１３０Ａ、及び制御部１４０を有している。通信部１３０Ａは、信号Ｉ／Ｆ１３１のほかに電源部１３２を備えている。電源部１３２は、ガスメータ１０Ａ及び水道メータ２０Ａに対して電源電力を供給する処理部である。本実施形態では、電源部１３２は、信号Ｉ／Ｆ１３１とガスメータ１０Ａ及び水道メータ２０Ａとを接続する通信線を通じて電力供給する。
【００４１】
ガスメータ１０Ａは、計量部１１のほかに電池１２を備えている。水道メータ２０Ａは、計量部２１のほかに電池２２を備えている。電池１２，２２は、電源部１３２から供給される電力を蓄積する蓄電池である。ガスメータ１０Ａ及び水道メータ２０Ａは、電池１２，２２に蓄積された電力を用いて計量、信号の送信などの処理を実行する。
【００４２】
このような構成によれば、電気メータ１００、ガスメータ１０Ａ及び水道メータ２０Ａは別々に電力を確保する必要がなくなり、各メータにおける電池交換などの手間を省くことができる。なお、通信部１３０Ａとガスメータ１０Ａ及び水道メータ２０Ａとを接続する通信線を介して信号の通信と電力供給を行う構成（つまり、通信線は通信と電力の伝送を兼用する構成）としていたが、通信部１３０Ａとガスメータ１０Ａ及び水道メータ２０Ａとを接続する通信線とは別に、電力を伝送するための電力線で通信部１３０Ａとガスメータ１０Ａ及び水道メータ２０Ａを接続してもよい。また、電源部１３２は、通信部１３０Ａ内に設けられていたが、通信部１３０Ａ外に設けてもよい。
【００４３】
以上、本発明を実施の形態を用いて説明したが、本発明の技術的範囲は、上記実施形態に記載の範囲には限定されない。本発明の趣旨を逸脱しない範囲で、上記実施形態に多様な変更又は改良を加えることが可能である。また、上記の実施形態で説明した要件の１つ以上は、省略されることがある。そのような変更又は改良、省略した形態も本発明の技術的範囲に含まれる。また、上記した実施形態を適宜組み合わせて適用することも可能である。
【００４４】
図１及び図２に示す場合において、通信親機２００が電気メータ１００，１００Ａの上位に位置する上位装置に相当する。しかし、電気メータ１００，１００Ａが通信親機２００を介さずにデータ集約装置３００に検針データを送信してもよい。この場合、データ集約装置３００が上位装置に相当する。また、電気メータ１００，１００Ａが通信親機２００及びデータ集約装置３００を介さずに直接、センタ装置４００に検針データを送信してもよい。この場合、センタ装置４００が上位装置に相当する。
【００４５】
また、上記の各実施形態では、電気メータ１００，１００Ａは、ガスメータ１０，１０Ａ及び水道メータ２０，２０Ａのいずれのメータからの検針データも上位装置に送信する構成であったが、このような構成に限定されず、ガスメータ１０，１０Ａ及び水道メータ２０，２０Ａのうち少なくとも一方の検針データだけを上位装置に送信する構成でもよい。また、電気メータ１００，１００Ａは、ガスメータ１０，１０Ａ及び水道メータ２０，２０Ａ以外のメータの検針データ（計量値、検針値）を伝送する構成でもよい。例えば、自家発電の発電量に関するデータ、カロリーメータ（地域冷暖房等で消費熱量を測定する計器）などのデータを伝送してもよい。
【００４６】
また、電源部１３２は、ガスメータ１０Ａと水道メータ２０Ａの少なくとも一方に電力を供給する構成でもよい。
【００４７】
また、電気メータ１００，１００Ａと通信親機２００は電力線を介してＰＬＣ方式の通信方式でデータ伝送を行っていたが、このような構成に限定されず、ＰＬＣ方式ではない通信方式を用いて通信線を介してデータ伝送してもよい。
【００４８】
また、ガスメータ１０，１０Ａ及び水道メータ２０，２０Ａは、パルス信号で計量値を電気メータ１００，１００Ａに伝送していたが、パルス信号以外のデータ形式のデータを電気メータ１００，１００Ａに伝送してもよい。また、制御部１４０がデータ形式を変換していたが、通信親機２００やデータ集約装置３００がデータ形式を変換してもよい。
【符号の説明】
【００４９】
１，１Ａ  検針システム
１０，１０Ａ  ガスメータ（ガスメータ端末）
２０，２０Ａ  水道メータ（水道メータ端末）
１００，１００Ａ  電気メータ（電気メータ端末）
１１０  計量部
１３０，１３０Ａ  通信部
１４０  制御部
２００  通信親機（上位装置）
３００  データ集約装置（上位装置）
４００  センタ装置（上位装置）
【図１】
2017091404.tif 000003
【図２】
2017091404.tif 000004
【図３】
2017091404.tif 000005
【図４】
2017091404.tif 000006